(57)【要約】【課題】種子をまかないのに生える植物を地中切断するカルチベータ用ナイフ型除草装置の提供。【解決手段】左右に平行配置され下端部に中耕爪１３を取付けるシャンク１１および１２の上部に、それぞれ左側水平バー１４および右側水平バー１５を取付け、この水平バー１４、１５に前後移動、固定自在にシャンク取付体１７を取付ける。左右のシャンク取付体１７に八角鋼シャンク１８を上下動自在に挿通し、適当位置で固定できる除草ナイフ取付体１９の下端部に、止めねじ付円筒体２６を水平に設ける。前進方向に対し刃部２８、２８ａを形成し、畦作物の根より下方の土中を切断する高さを備える左側地中切断ナイフ２０および右側地中切断ナイフ２１を、上方水平部２７を止めねじ付円筒体２６に挿通し、下端部を左右の中耕爪１３、１３間の中央部に向け、後方へ斜めに設ける。【選択図】  図７
2004173511.tif 000002
【特許請求の範囲】
【請求項１】
下端部に中耕爪を装着したシャンクを左右に平行配置するカルチベータにおいて、前記左右のシャンク上部に取付け前方および後方に突出部を形成する左側と右側の水平バーと、この左側と右側の水平バーの前方または後方の突出部に前後に移動、固定自在に外嵌し、側面に止めねじ付き円筒体を垂直に一体成形するシャンク取付け体と、前記止めねじ付き円筒体に垂直中心線周りに旋回自在に挿通する八角鋼シャンクの下端面に水平に固着した矩形平板の外端部に、前記八角鋼シャンクの平行対辺の中心線とその長手方向中心線が直交する止めねじ付き円筒体を水平に固着した除草ナイフ取付け体と、上方水平部の前部下方に連接する湾曲部から次第に斜め下方に延長するとともに、前進方向に向け刃部を形成する装着時に畦作物の根部下方を通過する高さを備え、前記除草ナイフ取付け体の止めねじ付き円筒体に前記上方水平部を挿通して固定し、後方へ斜めに固定する左側と右側の地中切断ナイフと、を備えたカルチベータ用ナイフ型除草装置。
【請求項２】
前記左側と右側の水平バーの前方および後方突出部にそれぞれ前記除草ナイフ取付け体を取付け、左側の前方または後方の除草ナイフ取付け体に前記左側の地中切断ナイフを取付け、右側の前方または後方の除草ナイフ取付け体に前記右側の地中切断ナイフを取付け、上方水平部の前部下方に連接する湾曲部から斜め下方に延長し、それぞれ下端部を斜め左外側後方および斜め右外側後方に水平に折曲げ、前縁部を刃部にし、裏面に前進方向に沿って縦刃を垂直に突設する左側外側後方折曲げ部と右外側後方折曲げ部を形成した左側表層切断ナイフおよび右側表層切断ナイフを、前記左側よび右側水平バーの前記地中切断ナイフを取付けていない除草ナイフ取付け体の止めねじ円筒体に、下端部の水平折曲げ部を斜め外側後方にしそれぞれ前記上方水平部を挿通し固定した、請求項１記載のカルチベータ用ナイフ型除草装置。
【発明の詳細な説明】
【０００１】
【発明の属する技術分野】
本発明は、カルチベータに地中切断ナイフおよび表層切断ナイフを設け、とくに種子をまかないのに自然に生える植物の除草に供するカルチベータ用ナイフ型除草装置に関する。
【０００２】
【従来の技術】
畑作における除草作業には、カルチベータに三角刃と呼ばれる単翼と双翼の除草刃を装着することが広く行われてきた。また、本出願の発明者は、実願平６−７０２９（実用新案登録第３０１４４５３２号）除草刃体を考案した。この除草刃体は、左右に対向するスプリングタインの下端部に所望の間隙を介し鎌刃を外向きに配設し、前進にともなってスプリングタインが相互に内方に撓み、鎌刃が作物の根際除草を可能にしたものである。これら従来の除草刃は、表土を浅く水平に削ることによって除草するものであり、地中切断作用によって除草するものではない。
【０００３】
【発明が解決しようとする課題】
前作がばれいしょの圃場において小豆等の豆作を行う場合に、豆類の発芽より前にばれいしょの野良生え（ノラバエ。種子をまかないのに自然に生える植物。小学舘２００１年１０月発行の日本国語大辞典第２版、ｐ８６８参照。）が発生することがある。このばれいしょの野良生えの発生は、前年秋の収穫の際に、小さなばれいしょがポテトハーベスタの揚上リンクロッドコンベヤの間隙から土とともに地上に落下し、覆土されて越年し、春耕の際に一部のものは破砕されるが、なお地中に多くが残存し野良生えとして発芽する。
【０００４】
野良生えばれいしょは豆類より成長が早く、背丈も大きい。したがって、養分を吸収し、日照を害するので、豆類の生長を遅らせる。ばれいしょの野良生えはその茎葉が出てはじめて存在がわかるものであり、茎葉の出る前に除去することができない。従来は、発芽したばれいしょの野良生えを鍬で掘り起こすとか、人力で引き抜くとかして除去する以外に方法がなく、これの除去には非常に多くの手間がかかっていた。
【０００５】
本発明は、以上の実情に鑑み、カルチベータの中耕作業とともにナイフで茎部を地中で切断し、ばれいしょの野良生えはじめ一般の野良生えを枯死させることができるカルチベータ用ナイフ型除草装置を提供することを、解決しようとする課題としている。
【０００６】
【課題を解決するための手段】
請求項１の発明は、下端部に中耕爪を装着したシャンクを左右に平行配置するカルチベータにおいて、前記左右のシャンク上部に取付け前方および後方に突出部を形成する左側と右側の水平バーと、この左側と右側の水平バーの前方または後方の突出部に前後に移動、固定自在に外嵌し、側面に止めねじ付き円筒体を垂直に固定するシャンク取付け体と、前記止めねじ付き円筒体に垂直中心線周りに旋回自在に挿通する八角鋼シャンクの下端面に水平に固着した矩形平板の外端部に、前記八角鋼シャンクの平行対辺の中心線とその長手方向中心線が直交する止めねじ付き円筒体を水平に固着した除草ナイフ取付け体と、を設ける。
【０００７】
そして、上方水平部の前部下方に連接する湾曲部から次第に斜め下方に延長するとともに、前進方向に向け刃部を形成する装着時に畦作物の根部下方を通過する高さを備える左側と右側の地中切断ナイフを、前記除草ナイフ取付け体の止めねじ付き円筒体に前記上方水平部を挿通して固定し、後方へ斜めに向け固定するものである。
【０００８】
また、請求項２の発明は、前記左側と右側の水平バーの前方および後方の突出部にそれぞれ前記除草ナイフ取付け体を取付け、左側の前方または後方の除草ナイフ取付け体に前記左側の地中切断ナイフを取付け、右側の前方または後方の除草ナイフ取付け体に前記右側の地中切断ナイフを取付け、上方水平部の前部下方に連接する湾曲部から斜め下方に延長し、それぞれ下端部を斜め左外側後方および斜め右外側後方に水平に折曲げ、前縁部を刃部にし、裏面に前進方向に沿って縦刃を垂直に突設する左側後方折曲げ部と右外側後方折曲げ部を形成した左側表層切断ナイフおよび右側表層切断ナイフを、前記左側よび右側水平バーの前記地中切断ナイフを取付けていない除草ナイフ取付け体の止めねじ円筒体に、下端部の水平折曲げ部を斜め外側後方にしそれぞれ前記上方水平部を挿通し固定したものである。
【０００９】
【実施例】
以下、本発明の実施例を図面を参照して説明する。なお、以下の説明における左右側は前進方向に見ての表示、図中のＧＬは地表面、矢印Ｆは前進方向の表示である・
【００１０】
図１は、本発明の第１実施例を装着したカルチベータ１の右側要部の後方斜視図であり、前方にトラクタの油圧３点支持装置に連結するマスト２を備えたツールバー３に、クランプ金具４を介しブラケット５を後方に突設している。ブラケット５の下方には公知の自動高低調節装置６を取付け、自動高低調節装置６の下方に中骨ビーム７を前進方向に沿って左右に平行に設け、左右の中骨ビーム７の前端部にはそれぞれ定規車８が設けられている。
【００１１】
９は、平面視Ｔ形で断面四角形の角鋼を備えるスライドシャンクであり、中骨ビーム７の中央部内側に固定した止めねじ付ソケット１０に摺動自在に内嵌し、中骨ビーム７と直交に内方に突出するようになっている。左および右側のスライドシャンク９、９の内方突出端部には、それぞれ左側シャンク１１および右側シャンク１２が上端部をボルト・ナットで取付け垂下状に設けられ、前方に凹湾曲している下端部に中耕爪１３が取付けられている。左、右側のシャンク１１、１２の左右間隔は、スライドシャンク９、９の出退によって調節できるようになっている。１６は、後部中耕爪である。
【００１２】
図２は、図１の要部平面図である。図１、図２のように、左側水平バー１４および右側水平バー１５は、それぞれ左側シャンク１１および右側シャンク１２の上部にボルト・ナット４０で水平に取付けられ、前方突出部２２と後方突出部２３を形成している。図３、図４も参照して説明すると、１７はシャンク取付け体であり、左、右側の水平バー１４、１５に摺動自在に外嵌し、止めねじ４１で固定できる枠体の一側面に、垂直に止めねじ付円筒体２４を一体成形したダクタイル鋳鉄製のものである。止めねじ付円筒体２４は上方部位に前後方向に沿ってロックナット付の止めねじ４２を螺着し、下方部位にロックナット付の止めねじ４３を螺着している。
【００１３】
止めねじ付円筒体２４は、上下方向中心線に沿って八角鋼シャンク１８を上下摺動自在に挿通する丸穴を形成している。前述の止めねじ４２は前後方向に沿って設け、丸穴に挿通した八角鋼シャンク１８の一辺の平面を締め付け、止めねじ４３は八角鋼シャンク１８の角稜に当接して締め付けるように、止めねじ４２と４３の交角αが２２．５度になっている（図４参照）。八角鋼シャンク１８は、図４のように、平行対辺３０、３１の距離が２２ｍｍである。八角鋼シャンク１８は、後述する左、右側の地中切断ナイフ２０、２１が地中切断時に発生するモーメントに耐えるため、高炭素工具鋼を焼き入れ焼戻ししたものである。
【００１４】
次に、図２乃至図４を参照して説明すると、１９は除草ナイフ取付体であり、八角鋼シャンク１８の下端面に厚さ８ｍｍ、長さ５０ｍｍの矩形平板２５の一端を水平に固着し、八角鋼シャンク１８の平行対辺を垂直によぎる中心線に対し、その長手方向中心線が直交する止めねじ付円筒体２６を、矩形平板２５の外端末に水平に固着している。止めねじ付円筒体２６の長手方向中心部には、後述する左側地中切断ナイフ２０と右側地中切断ナイフ２１を挿通する丸穴を備え、上面には２本のロックナット付止めねじ４４が螺着されている。
【００１５】
シャンク取付体１７は、左側および右側の水平バー１４および１５に前後に摺動して取付け位置を変えることができ、除草ナイフ取付体１９は八角鋼シャンク１８を止めねじ付円筒体２４に対して上下動することによって、止めねじ付円筒体２６の地上高を調節することができる。除草ナイフ取付体１９の八角鋼シャンク１８の軸心線と、止めねじ付円筒体２６の丸穴中心線との間隔を５５ｍｍにした。
【００１６】
図５の２０は左側地中切断ナイフであり、上方水平部２７の前部下方に湾曲部２９を連接し、湾曲部２９から斜め下方に延長し右側端面部に刃部２８を形成している。図６の２１は右側地中切断ナイフであり、上方水平部２７の前部下方に湾曲部２９を連接し、湾曲部２９から斜め下方に延長し左側端面部に刃部２８ａを形成している。左側と右側の地中切断ナイフ２０と２１は、刃部２８、２８ａが右側と左側である以外は同形であり、上方水平部２７の水平延長面から刃部先端までの高さが２６０ｍｍ、前後方向の長さも２６０ｍｍである。
【００１７】
また、左側と右側の地中切断ナイフ２０、２１は上方から見て長方形で、材料は厚さ６ｍｍ、幅２５ｍｍのばね鋼材である。そして、上方水平部２７を止めねじ付円筒体２６の丸穴に挿通し、ロックナット付止めねじ４４で固定して除草ナイフ取付体１９に取付け、図２のように、左側水平バー１４および右側水平バー１５にそれぞれ取付けるものである。
【００１８】
左側地中切断ナイフ２０は、八角鋼シャンク１８が止めねじ４２で止めねじ付円筒体２４に固定され、図２に示すように、長手方向中心線と前進方向Ｆに沿った線との成す角βが４５度であり、左側水平バー１４に対し後方に斜めに設けている。同様に右側地中切断ナイフ２１も右側水平バー１５に対し後方へ斜めに設けている（図１０参照）。
【００１９】
図７は、前進方向から見た図２の正面図である。図７のように、左、右側の水平バー１４、１５に取付けたシャンク取付体１７の止めねじ付円筒体２４に八角鋼シャンク１８を挿通し、適当な地上高で除草ナイフ取付体１９を固定している。そして、左側および右側の止めねじ付円筒体２６にそれぞれ左側地中切断ナイフ２０および右側地中切断ナイフ２１の上方水平部２７を挿通し、止めねじ４４で固定している。
【００２０】
除草ナイフ取付体１９の適当な地上高は、左、右側の地中切断ナイフ２０、２１の地中切断深さが約１５ｃｍになるようにする。また、左、右側の地中切断ナイフ２０、２１を前進方向に対し角度βを４５度で後方へ斜設する際に、上方水平部２７を止めねじ付円筒体２６に対し前後に移動し、両者の下端部先端が畦間中央の同一線上に位置するか、または交差するように取付けるのである。
【００２１】
図８は、第１実施例の作業時の態様を模式的に示す図２Ａ−Ａ線矢視の側面図である。図８において、右側地中切断ナイフ２１は止めねじ付円筒体２６に固定され、八角鋼シャンク１８が右側水平バー１５の前方突出部２２に固定されたシャンク取付体１７の止めねじ付円筒体２４に固定されている。前述したように、右側地中切断ナイフ２１は、刃部２８ａが前進方向に向き斜め後方へ設置されている。図中のＰは小豆、Ｎは野良生えばれいしょであり、図８は、小豆Ｐの根の深さＤ２が５ｃｍ程度のときに中耕作業を行なう場合である。野良生えばれいしょＮは種々の深さのものがあるが、多くは小豆の根よりも深い位置に存在し、地上に茎葉を出している。図８中のＤ１は右側地中切断ナイフの切断深さ１５ｃｍである。
【００２２】
左側地中切断ナイフ２０も右側水平バー１４の前方突出部２２に同様に固定され、地中切断深さ１５ｃｍに設けられるている。この状態でカルチベータを前進させると、左、右側の地中切断ナイフ２０、２１が小豆Ｐの両側の土を深さ約１５ｃｍで切断するとともに、野良生えばれいしょの根を切断する。根が切断された野良生えばれいしょはやがて枯死する。
【００２３】
図２は、左側地中切断ナイフ２０と右側地中切断ナイフ２１を、左側水平バー１４と右側水平バー１５の前方突出部２２に取付けているが、左、右側の水平バー１４、１５の後方突出部２３に取り付けてもよい。また、左側水平バー１４の前方突出部２２に左側地中切断ナイフ２０を取付け、右側地中切断ナイフ２１を右側水平バー１５の後方突出部２３に取付けてもよく、これと逆配置にしてもよい。
【００２４】
図９は、本発明装置の第２実施例を装着したカルチベータ１の右側要部の後方斜視図であリ、図１０図は図９の要部平面図である。図９におけるカルチベータ１は、図１と同一である。図９、図１０において、第２実施例は、第１実施例における左および右側の地中切断ナイフ２０および２１をそれぞれ左側、右側の水平バー１４および１５の前方突出部２２に取付け、左、右側の後方突出部２３にそれぞれ左側表層切断ナイフ３２および右側表層切断ナイフ３３を取付けるものである。
【００２５】
また、第２実施例は、図１１のように、左、右側の地中切断ナイフ２０、２１を左、右側の水平バー１４、１５の後方突出部２３に取付けた場合は、左側表層切断ナイフ３２および右側表層ナイフ３３を前方突出部２２に取付ける。また、図示を省略したが、左、右側の地中切断ナイフ２０、２１の一方を前方突出部２２に取付ければ、左、右側の表層切断ナイフ３２、３３の一方を後方突出部２３に取り付けるのである。
【００２６】
図１２および図１３は、それぞれ左側表層切断ナイフ３２および右側表層切断ナイフ３３の斜視図である。左、右側の表層切断ナイフ３２、３３は、ともに上方水平部３７の前部下方に連接した湾曲部３８を斜め下方に延長し、この延長端末部を左側表層切断ナイフ３２は進行方向左側へ、右側表層切断ナイフ３３は  進行方向右側にそれぞれ水平に折曲げ、それぞれ左外側後方折曲げ部３４および右外側後方折曲げ部３５にしている。３６は刃部であり、左側表層切断ナイフ３２の進行左側に形成し、右側表層切断ナイフ３３の進行右側に刃部３６ａを形成している。左、右外側後方折曲げ部３４、３５の後方折曲げ角は前進方向に対し１３５度である。３９は縦刃であり、左、右外側後方折曲げ部３４、３５の中央部裏面から下方に前進方向に沿って突設し、下縁と前縁が断面突三角形の刃になっている。
【００２７】
図１４は、図１０のＢ−Ｂ線矢視の側面図、図１５は前進方向から見た図１０の正面図である。図１４中、Ｄ１は地中切断ナイフの切断深さ約１５ｃｍであり、Ｄ３は表層切断ナイフ３２、３３の切断深さ約４ｃｍである。Ｈは縦刃３９の高さ５ｃｍである。左側地中切断ナイフ２０を固定した除草ナイフ取付体１９は、止めねじ４２、４３を緩めシャンク取付体１７に対し八角鋼シャンク１８を上下することによって、所望の地中切削深にすることができる。右側地中切断ナイフ２１も同様である。左側表層切断ナイフ３２は、左側水平バー１４の後方突出部２３に取付けたシャンク取付体１７に除草ナイフ取付体１９を取付け、上方水平部３７が止めねじ付円筒体２６に挿通し固定されている。
【００２８】
また、止めねじ４４を緩めると、左側地中切断ナイフ２０を前後に移動することができ、左側地中切断ナイフ２０の切断位置を調節するのである。すなわち、左側の地中切断ナイフ２０を前方に移動すると、切断位置が畦中心より外方に移動し、後方に移動すると畦中心側に移動する。右側地中切断ナイフ２１も同様にして切断位置を調節するものである。
【００２９】
左、右側の表層切断ナイフ３２、３３は、図１５に示すように、左、右外側後方折曲げ部３４と３５が、カルチベータの前進により左右の中耕爪１３、１３の内側の雑草を地表近くで削り取り、また、縦刃３９が地表の砕土作用を行うのである。４５は畦の中心線であり、左、右側の地中切断ナイフ２０、２１の下端末が、畦の中心線４５の下方を前進するように、左右の除草ナイフ取取付体１９に固定されている。
【００３０】
【発明の効果】
以上に説明したように、本発明の請求項１によれば、左、右側の地中切断ナイフにより地表から畦作物下方の地中を切断することができるので、地中深くから生長した野良生えばれいしょおよび野良生え植物の茎を地中で切断し、これを枯死させることができる。また、カルチベータの中耕爪を取付ける左右のシャンクの上部に取付けた水平バーは、前方および後方に突出部を形成したので、水平バーの前方または後方にシャンク取付体を装着することができ、前記シャンク取付体に取付ける除草ナイフ取付体を介し中耕爪の前方または後方の適切な位置に、左、右側の地中切断ナイフを設けることができる。
【００３１】
また、左、右側のシャンク取付体に高低調節自在に八角鋼シャンクを挿通し、この八角鋼シャンクの下端部に止めねじ付円筒体を水平に固着した除草ナイフ取付体を前記シャンク取付体に取付け、止めねじ付円筒体に左、右側の地中切断ナイフを取付けるようにしたので、八角鋼シャンクの上下動という簡単な操作で地中切断ナイフの切断深さを容易に調節することができる。また、除草ナイフ取付け体１９は、シャンク取付け体に挿通する八角鋼シャンクの平面を止めねじで押すようにしたので、地中切断ナイフが地中を切断する際に生ずる大きなモーメントを受けても、八角鋼シャンが捻回することなく地中切断ナイフを保持することができる。
【００３２】
請求鋼２の発明によれば、左、右側の地中切断ナイフの前方または後方に表層切断ナイフを配設したので、地中切断と同時にカルチベータの中耕爪近くの地表面を削り、野良生えや雑草を除草することができるとともに、砕土効果を得ることができる。
【図面の簡単な説明】
【図１】本発明装置の第１実施例を装着したカルチベータ右側要部の後方斜視
図である。
【図２】第１実施例の要部平面図である。
【図３】図２中の一部品の正面図である。
【図４】図３の平面図である。
【図５】左側の地中切断ナイフの斜視図である。
【図６】右側の地中切断ナイフの斜視図である。
【図７】図２の前進方向から見た正面図である。
【図８】第１実施例の作業時の態様を模式的に示す図２Ａ−Ａ線矢視の
側面図である。
【図９】本発明装置の第２実施例を装着したカルチベータの右側要部の後方斜  視図である。
【図１０】図９の要部平面図である。
【図１１】図１０において切断ナイフの取付位置を変えた平面図である。
【図１２】図９における左側表層切断ナイフの斜視図である。
【図１３】同じく右側表層切断ナイフの斜視図である。
【図１４】図１０のＢ−Ｂ線矢視の側面図である。
【図１５】図１０の前進方向から見た正面図である。
【符号の説明】
１      カルチベータ
１１    シャンク
１２    シャンク
１３    中耕爪
１４    左側水平バー
１５    右側水平バー
１７    シャンク取付体
１８    八角鋼シャンク
１９    除草ナイフ取付体
２０    左側地中切断ナイフ
２１    右側地中切断ナイフ
２２    前方突出部
２３    後方突出部
２４    止めねじ付円筒体
２５    矩形平板
２６    止めねじ付円筒体
２７    上方水平部
２８、２８ａ    刃部
２９    湾曲部
３０、３１    平行対辺
３２    左側表層切断ナイフ
３３    右側表層切断ナイフ
３４    左外側後方折曲げ部
３５    右外側後方折曲げ部
３６．３６ａ        刃部
３７    上方水平部
３８    湾曲部
３９    縦刃
Ｆ      前進方向
【図１】
2004173511.tif 000003
【図２】
2004173511.tif 000004
【図３】
2004173511.tif 000005
【図４】
2004173511.tif 000006
【図５】
2004173511.tif 000007
【図６】
2004173511.tif 000008
【図７】
2004173511.tif 000009
【図８】
2004173511.tif 000010
【図９】
2004173511.tif 000011
【図１０】
2004173511.tif 000012
【図１１】
2004173511.tif 000013
【図１２】
2004173511.tif 000014
【図１３】
2004173511.tif 000015
【図１４】
2004173511.tif 000016
【図１５】
2004173511.tif 000017